(57)【要約】【課題】  複数水位の検出が可能で、節水を図ることができるようにする。【解決手段】  水位検出装置１３は、洗浄槽に連通した水位ケース１４内に上下移動可能に配置された第１のフロート１５及び第２のフロート１６と、第１のフロート１５の上下移動に応じて第１のレバー２０を介してスイッチ動作する第１のスイッチ２１、２２と、第２のフロート１６の上下移動に応じて第２のレバー２３を介してスイッチ動作する第２のスイッチ２４、２５とを有し、第１のスイッチ２１、２２は、いずれも、それぞれアクチュエータ２１ｂ、２２ｂが第１のレバー２０により押圧された状態から押圧解除方向へ動作することによりスイッチ動作し、第２のスイッチ２４は、そのアクチュエータ２４ｂが押圧された状態から押圧解除方向へ動作することによりスイッチ動作し、他の第２のスイッチ２５はそのアクチュエータ２５ｂが押圧解除状態から押圧されることによりスイッチ動作する形態に設けられている。【選択図】  図１
2005131244.tif 000002
【特許請求の範囲】
【請求項１】
食器類を収容し水噴射手段により該食器類の洗浄を行う洗浄槽と、この洗浄槽内に給水された水の水位を検出する水位検出手段とを備え、この水位検出手段により給水水位を検出して給水量を制御するようにしたものにおいて、
前記水位検出手段を、
前記洗浄槽に連通した水位ケースと、
この水位ケースに上下移動可能に配置された第１及び第２のフロートと、
前記第１のフロートの上下移動に連動する第１のレバーと、
前記第２のフロートの上下移動に連動する第２のレバーと、
前記第１のレバーの異なる動作位置でアクチュエータが動作するように設けられた複数の第１のスイッチと、
前記第２のレバーの異なる動作位置でアクチュエータが動作するように設けられた複数の第２のスイッチとを有し、
前記複数の第１のスイッチは、いずれも、それぞれアクチュエータが第１のレバーにより押圧された状態から第１のレバーの動作に応じて押圧解除方向へ動作することによりスイッチ動作する形態に設けられ、
前記複数の第２のスイッチうちの一方は、そのアクチュエータが第２のレバーにより押圧された状態から第２のレバーの動作に応じて押圧解除方向へ動作することによりスイッチ動作する形態に設けられ、他方は、そのアクチュエータが押圧解除状態から第２のレバーの動作に応じて押圧されることによりスイッチ動作する形態に設けられたことを特徴とする食器洗浄機。
【請求項２】
第２のフロートには水位ケースの上壁に形成された貫通孔を貫通して第２のレバーと連結される連結バーが設けられており、前記貫通孔周縁には、この連結バーの上下動を案内するガイドが設けられていることを特徴とする請求項１記載の食器洗浄機。
【請求項３】
第１のレバーは、複数の第１のスイッチのアクチュエータに対するレバー比が異なることを特徴とする請求項１記載の食器洗浄機。
【請求項４】
第１のフロートは、ジュラコンから構成されていることを特徴とする請求項３記載の食器洗浄機。
【請求項５】
食器類を収容し水噴射手段により該食器類の洗浄を行う洗浄槽と、この洗浄槽内に給水された水の水位を検出する水位検出手段とを備え、この水位検出手段により給水水位を検出して給水量を制御するようにしたものにおいて、
前記水位検出手段を、
前記洗浄槽に連通した水位ケースと、
この水位ケースに上下移動可能に且つ着脱可能に配置され浮力を受ける横断面積が上下方向で異なるフロートと、
このフロートの上下動に応じて動作するレバーと、
このレバーの異なる動作位置で動作するように設けられた複数のスイッチとを有する構成としたことを特徴とする食器洗浄機。
【発明の詳細な説明】
【技術分野】
【０００１】
本発明は水位検出手段を備えた食器洗浄機に関する。
【背景技術】
【０００２】
食器洗浄機においては、洗浄槽内に給水手段により水を給水し、その給水水位を水位検出手段により検出して、所定水位（所定水量）の水が溜まったところで、給水を停止するようにしている。そして、水噴射手段によりその水を食器類に向けて噴射して該食器類を洗浄するようにしている。ところで、上述の水位検出手段は、通常、フロートと、これの上昇によってスイッチ動作するスイッチとを備えて構成されており、そのスイッチがスイッチ動作（オン動作あるいはオフ動作）したことに基づいて給水を止めるようにしている（例えば特許文献１）。
【特許文献１】特開２００３−４７５８５号公報
【発明の開示】
【発明が解決しようとする課題】
【０００３】
ところが、最近の食器洗浄機では、節水が要望されてきているが、上記従来構成では、節水改善がなかなかできないものであった。すなわち、節水対策として、洗浄に使用する水の量（給水水位）を必要に応じた量に変更可能とすることが有効であるが、上記従来構成のものでは、一つのフロートに対して一つのスイッチが設けられているに過ぎないため、検出水位が一つの水位しかないというものであった。そして、その水位は、洗浄水不足に至らないように安全を見越してかなり高い水位に固定されていた。なお、上記特許文献１には、通常の給水水位以外に、溢水水位を検出する溢水水位手段を備えているが、これは、洗浄のための水位を検出するものではない。しかも電極による検出構成であって、フロート式ではなく、異なる検出方式であるため、電気的及び機械的構成も複雑であった。
【０００４】
本発明は上記事情に鑑みてなされたものであり、その目的は、フロート方式の水位検出手段を備えたものにおいて、複数水位の検出が可能で、節水を図ることができる食器洗浄機を提供するにある。
【課題を解決するための手段】
【０００５】
請求項１の発明は、食器類を収容し水噴射手段により該食器類の洗浄を行う洗浄槽と、この洗浄槽内に給水された水の水位を検出する水位検出手段とを備え、この水位検出手段により給水水位を検出して給水量を制御するようにしたものにおいて、
前記水位検出手段を、
前記洗浄槽に連通した水位ケースと、
この水位ケースに上下移動可能に配置された第１及び第２のフロートと、
前記第１のフロートの上下移動に連動する第１のレバーと、
前記第２のフロートの上下移動に連動する第２のレバーと、
前記第１のレバーの異なる動作位置でアクチュエータが動作するように設けられた複数の第１のスイッチと、
前記第２のレバーの異なる動作位置でアクチュエータが動作するように設けられた複数の第２のスイッチとを有し、
前記複数の第１のスイッチは、いずれも、それぞれアクチュエータが第１のレバーにより押圧された状態から第１のレバーの動作に応じて押圧解除方向へ動作することによりスイッチ動作する形態に設けられ、
前記複数の第２のスイッチうちの一方は、そのアクチュエータが第２のレバーにより押圧された状態から第２のレバーの動作に応じて押圧解除方向へ動作することによりスイッチ動作する形態に設けられ、他方は、そのアクチュエータが押圧解除状態から第２のレバーの動作に応じて押圧されることによりスイッチ動作する形態に設けられたことを特徴とするものである。
【０００６】
請求項５の発明は、食器類を収容し水噴射手段により該食器類の洗浄を行う洗浄槽と、この洗浄槽内に給水された水の水位を検出する水位検出手段とを備え、この水位検出手段により給水水位を検出して給水量を制御するようにしたものにおいて、
前記水位検出手段を、
前記洗浄槽に連通した水位ケースと、
この水位ケースに上下移動可能に且つ着脱可能に配置され浮力を受ける横断面積が上下方向で異なるフロートと、
このフロートの上下動に応じて動作するレバーと、
このレバーの異なる動作位置で動作するように設けられた複数のスイッチとを有する構成としたことを特徴とするものである。
【発明の効果】
【０００７】
請求項１の発明によれば、給水によって、第１のフロートが浮上すると、第１のレバーを介して複数の第１のスイッチが異なる水位でスイッチ動作し、さら、第２のフロートが浮上すると、第２のレバーを介して複数の第２のスイッチが異なる水位でスイッチ動作するから、複数の水位を検出することが可能となり、つまり、給水水位を複数設定可能となって節水に寄与できる。
【０００８】
ここで、フロートは、水から受ける浮力が、該フロートにかかる荷重（フロートやレバーによる荷重（自重）や、スイッチのアクチュエータへの動作力）より大きくなったときに浮上し始める。
第１のフロートにより動作する複数の第１のスイッチにおいては、いずれも各アクチュエータが押圧解除方向（動作力軽減方向）で動作するので、比較的小さな浮力で動作し、検出しようとする複数の水位の水位差が小さい場合に好適する。また、第２のフロートにより動作する複数の第２のスイッチにおいては、一方のスイッチのアクチュエータが押圧解除方向で動作することで比較的小さな浮力で動作し、そして、他方のスイッチのアクチュエータが押圧方向（動作力増加方向）で動作することで比較的大きな浮力で動作し、従って検出しようとする複数の水位の差は大きくなる。この結果、複数の第１のスイッチと複数の第２のスイッチの併用により、さらに細かい複数の水位を検出できる。
【０００９】
請求項５の発明によれば、給水によって、フロートが浮上すると、レバーを介して複数のスイッチが異なる水位でスイッチ動作するから、複数の水位を検出することが可能となり、つまり、給水水位を複数設定可能となって節水に寄与できる。
ここで、この請求項５の発明においては、フロートに横断面積の大小があるから、該フロートにかかる荷重が一定であるとすると、フロートが横断面積の小さな方で浮力を受ける場合には、水没高さつまり水位上昇幅が大きくなってフロートが上昇し始める。従って大きな水位変化を検出できる。横断面積が大きな方で浮力を受ける場合には、水没深さつまり水位上昇幅が小さくてもフロートが上昇し始める。従って小さな水位変化を検出できる。この結果、フロートのどの部分で浮上開始させるかで、検出水位差が変更可能である。そして、このフロートは着脱可能であるから、たとえば横断面積が上下方向で不変な、いわゆるストレートな形状のフロートや、横断面積の大小形態が異なるフロートと交換可能である。
【発明を実施するための最良の形態】
【００１０】
以下、本発明の第１の実施例を示す図１ないし図６を参照して説明する。
まず、図２は食器洗浄機の概略構成を示す縦断正面図で、図３は図１のＫ−Ｋ線に沿って切断して示す要部の拡大断面図である。これら図面に示すように食器洗浄機の外殻を形成する筐体１は、上部枠体１ａと下部枠体１ｂとから構成され、内部に洗浄槽２が設けられている。この洗浄槽２は、図示しない食器かごに収納した食器類を出し入れ可能に収容する矩形箱状をなし、図示しないが前方のみ開口していて、この開口から上記食器かごが出し入れされ、通常は該開口を開閉する蓋で覆われた構成である。
【００１１】
上記洗浄槽２の内底部には、更に下方に窪んだ凹所２ａが形成され、これには例えば洗浄水加熱用のヒータ３が配設されているとともに、その最低部位には通水口２ｂが形成されている。また、洗浄槽２の内底部の例えば２個所には洗浄水を上方に噴射する水噴射手段たる噴射ノズル４が回転可能に設けられていて、この噴射ノズル４は、外底部側に配設された洗浄ポンプ５と吐出管６を介して連通接続されている。この洗浄ポンプ５は、モータ７にて駆動され、該ポンプ５のケーシング５ａの吐出側が前記吐出管６を経て噴射ノズル４に連なり、一方吸い込み側は吸い込み口５ｂに対し前記通水口２ｂとの間に、洗浄ポンプ５への吸水路としての通水管８が連通接続された構成としている。
【００１２】
更に、上記通水管８には、洗浄ポンプ５の吸込口５ｂの上流側に位置して、網状あるいは格子状の細孔部材９が水の流れに対向する形態で配設されている。
また、洗浄槽２の下部には図３に示すように、給水手段たる電磁式の給水弁１０を備えた給水管１１の一端が接続されており、この給水管１１の他端は給水ホース１２を介して図示しない機外の水道蛇口に接続されている。
【００１３】
図２に示す水位検出手段たる水位検出装置１３は、前記洗浄槽２内の水位を検出するものであり、以下、この水位検出装置１３について図1も参照して説明する。洗浄槽２外部に設けられた水位ケース１４は、連通管部１４ａを介して洗浄槽２の下部である凹所２ａに連通されている。
この水位ケース１４はケース本体１４ｂと着脱可能な蓋ケース１４ｃとから箱状に構成されている。水位ケース１４の上壁である蓋ケース１４ｃには平面円形をなす第１の貫通孔１４ｄ、第２の貫通孔１４ｅが形成されている。この場合、第２の貫通孔１４ｅ周縁には下向きに突出する筒状のガイド１４ｆ（図４参照）が形成されている。このガイド１４ｆにおける下端部内周縁部は円弧曲面状に面取りされた形状をなしている。なお第１の貫通孔１４ｄにも長さの短いガイド１４ｇが上向きに形成されている。
【００１４】
この水位ケース１４の内部には第１のフロート１５及び第２のフロート１６が上下動可能に配設されている。すなわち、第１のフロート１５は下面を開放する以外は密閉された第１フロート部１５ａと、この第１フロート部１５ａよりも、浮力を受ける横断面積が大きな第２フロート部１５ｂとを有して構成されている。この第２フロート部１５ｂの上部に位置し、下面が開放する以外は密閉されている。
【００１５】
この第１のフロート１５はジュラコン（商品名）により形成されており、しかも肉厚に形成されている。このジュラコンはポリアセタール・コポリマーと呼ばれる、結晶性の熱可塑性製プラスチックであり、合成樹脂の中でも比較的比重（ほぼ１．４１）が大きいものであり、従って第１のフロート１５は比較的重量が重い。この第１のフロート１５の外面上部には連結バー１５ｃが上方に突出形成されており、これは図５に示すように、横断面形状が十字状をなし、上部には、横方向に張り出す頭部１５ｄが形成されていて、これと連結バー１５ｃの張り出し条部１５ｃ´の上端との間に首部１７が形成されている。この連結バー１５ｃは前記第１の貫通孔１４ｄに下方から挿通され、首部１７部分が水位ケース１４より突出している。
【００１６】
第２のフロート１６は、下面を開放する以外は密閉された形状に形成されており、これは例えばポリプロピレン（比重ほぼ０．９）から形成されていて、また肉厚も薄く形成されている。この第２のフロート１６の上部にも、横断面形状が十字状をなす連結バー１６ａが形成されており、この連結バー１６ａの上端部にも頭部１６ｂと張り出し条部１６ａ´上端との間に首部１８が形成されている。この連結バー１６ａは前記貫通孔１４ｅに下方から挿通され、首部１８部分が水位ケース１４より突出している。
【００１７】
前記水位ケース１４の上部には取付基板１９が縦形に取り付けられており、この取付基板１９には、第1のレバー２０、複数例えば二つの第1のスイッチ２１、２２、第2のレバー２３、複数例えば二つの第２のスイッチ２４、２５が次のように設けられている。
第1のレバー２０は、その途中部が、取付基板１９に突設された枢支軸１９ａに回動可能に枢支されており、該第1のレバー２０のフロート側アーム部２０ａの先端部には、図５に示すように、溝部２０ｂが形成されていて、その両側に係止突片２０ｃ、２０ｃが形成されている。またこの第１のレバー２０にはフロート側アーム部２０ａ以外に二つのスイッチ側アーム部２０ｄ、２０ｅが設けられており、このスイッチ側アーム部２０ｄ、２０ｅのレバー比（回動中心Ｑからスイッチ動作点までの距離Ｌ１、Ｌ２の比）は異なる（Ｌ１＜Ｌ２）ように形成されている。
【００１８】
この第１のレバー２０におけるフロート側アーム部２０ａの前記溝部２０ｂは、前記第１のフロート１５の首部１７に着脱可能に嵌合されている。これにより、該第１のレバー２０が第１のフロート１５の上下動に連動する構成となっている。
前記複数の第１のスイッチ２１、２２は、スイッチ本体２１ａ、２２ａから常に突出する方向へ付勢されたアクチュエータ２１ｂ、２２ｂを有しており、それぞれ、アクチュエータ２１ｂ、２２ｂが押圧されて移動する過程で、あるいは押圧状態から突出復帰する過程で各スイッチ本体２１ａ、２２ａ内部のスイッチ部がスイッチ動作（開動作あるいは閉動作）して、そのスイッチ動作の変化をスイッチ信号として出力する。
【００１９】
そして、一方の第１のスイッチ２１は、前記取付基板１９に、そのアクチュエータ２１ｂが第１のレバー２０の一方のスイッチ側アーム部２０ｄにて押圧される形態に取り付けられている。また他方の第１のスイッチ２２は、前記取付基板１９に、そのアクチュエータ２２ｂが他方のスイッチ側アーム部２０ｅにて押圧される形態に取り付けられている。
すなわち、この両第１のスイッチ２１、２２は、いずれも、それぞれアクチュエータ２１ｂ、２２ｂが第１のレバー２０により押圧された状態から第１のレバー２０の動作に応じて押圧解除方向へ動作することによりスイッチ動作する形態に設けられている。
【００２０】
これら複数の第1のスイッチ２１、２２は第1のレバー２０の異なる動作位置でアクチュエータ２１ｂ、２２ｂが動作するものである。
第２のレバー２３は、その途中部が、取付基板１９に突設された枢支軸１９ｂに回動可能に枢支されており、フロート側アーム部２３ａ及びスイッチ側アーム部２３ｂが形成されている。フロート側アーム部２３ａ先端部は、前記第１のレバー２０と同様に第２のフロート１６の首部１８に着脱可能に嵌合されている。これにより、該第２のレバー２３が第２のフロート１６の上下動に連動する構成となっている。
【００２１】
前記両第２のスイッチ２４、２５は前記第１のスイッチ２１、２２と同じ構成であり、スイッチ本体２４ａ、２５ａにアクチュエータ２４ｂ、２４ｃを有して構成されている。これら第２のスイッチ２４、２５のうちの一方の第２のスイッチ２４は、取付基板１９に、アクチュエータ２４ｂが第２のレバー２３により押圧された状態から第２のレバーの動作２３に応じて押圧解除方向へ動作することによりスイッチ動作する形態に取り付けられている。また、他方の第２のスイッチ２５は、そのアクチュエータ２５ｂが押圧解除状態から第２のレバーの動作２３に応じて押圧されることによりスイッチ動作する形態に取り付けられている。これら第２のスイッチ２４、２５は第２のレバー２３の異なる動作位置でアクチュエータ２４ｂ、２５ｂが動作するものである。
【００２２】
また、前記第１のフロート１５は、第１のレバー２０に対して着脱可能であること、及び水位ケース１４の蓋ケース１４ｃがケース本体１４ｂに対して着脱可能であることから、浮力を受ける横断面積が上下方向で異なるフロートに相当するところのこの第１のフロート１５は水位ケース１４に着脱可能に設けられている。なお、第２のフロート１６も同様に水位ケース１４に着脱可能である。
【００２３】
ここで、図１の状態では、水位ケース１４内に水が入っていない状態を示しており、この場合、第１のフロート１５はその自重により、第１のレバー２０を介して両第１のスイッチ２１、２２のアクチュエータ２１ｂ、２２ｂを、その復帰力に抗して押圧限度位置まで押圧させた状態にある。このように第１のフロート１５は、両第１のスイッチ２１、２２のアクチュエータ２１ｂ、２２ｂの復帰力に抗して押圧させるものであるから、この第１のフロート１５を比重の高いジュラコンにて形成したことは、自重の重さ確保に有利である。
【００２４】
また、第２のフロート１６は第２のレバー２３を介して一方の第２のスイッチ２４のアクチュエータ２４ｂをその復帰力に抗して押圧限度位置まで押圧している。
上記構成の水位検出装置１３においては、複数の水位Ａ、Ｂ、Ｃ、Ｄが検出可能である。すなわち、給水弁１０が図示しない制御装置（これはマイクロコンピュータなどを含んで構成される）により開放制御されて洗浄槽２へ給水が開始されると、水位ケース１４内の水位も上昇し、水位Ａより若干下の水位となると第２のフロート１６が浮上し始める。このとき、一方の第２のスイッチ２４のアクチュエータ２４ｂがその復帰力により該第２のフロート１６の浮上を助成する方向に作用する。そして水位Ａとなったところで、一方の第２のスイッチ２４のアクチュエータ２４ｂが復帰する過程でスイッチ動作し、そのスイッチ信号が前記制御装置に入力される。このとき、この水位Ａで給水を停止するプログラムとなっていれば、制御装置は給水弁１０を閉鎖制御する。これにて、給水量が制御される。なお、給水を停止しないプログラムとなっていれば、そのまま給水が継続される。
【００２５】
給水が継続されるとすると、第２のフロート１６は継続浮上して、第２のレバー２３を介して他方の第２のスイッチ２５のアクチュエータ２５ｂをその突出方向への復帰力に抗して押圧してゆく。そして、押圧してゆく過程で水位Ｂとなったところで、第２のスイッチ２５をスイッチ動作させる。これにてスイッチ信号が出力され、制御装置はプログラムに応じて給水弁１０を閉鎖あるいは開放維持する。この場合、第２のフロート１６は一方の第２のスイッチ２４をスイッチ動作させる場合よりも、第２のレバー２３を押し上げる力が大きくなるので、その分、浮力を要し、もって、検出水位が水位Ａと水位Ｂとの差（比較的大きな水位差）となる。なお、第２のフロート１６が他方の第２のスイッチ２５のアクチュエータ２５ｂを押圧させるときには、該フロート１６が第２のレバー２３を押し上げることになるため、このフロート１６が第２のレバー２３との連結部分を中心にして左方あるいは右方に変移して、貫通孔１４ｅ縁部に係止されて該フロート１６の上昇が阻止されるおそれがあるが、ガイド１４ｆにより、その変移が阻止され、円滑に上昇するものである。
【００２６】
この後、給水が停止されずに水位が上昇してくると、第１のフロート１５の第１フロート部１５ａでの浮力により上昇してゆく。この場合、第１のレバー２０のレバー比が異なるから、レバー距離の長いスイッチ側アーム部２０ｅの回動距離が大きく、他方の第１のスイッチ２２のアクチュエータ２２ｂが突出方向（押圧解除方向）へ大きく動作する。この結果、水位Ｃとなったところで、他方の第２のスイッチ２２がスイッチ動作する。これにて、同様に、スイッチ信号が出力され、制御装置はプログラムに応じて給水弁１０を閉鎖あるいは開放維持する。
【００２７】
この後、給水が停止されずに水位が上昇してくると、さらに第１のフロート１５が上昇して水位Ｄとなったところで、一方の第１のスイッチ２１がスイッチ動作し、この場合は、規定水位の最高水位であるの、給水弁１０は閉鎖されることになる。
第１のフロート１５でスイッチ動作させる両第１のスイッチ２１、２２は、いずれもアクチュエータ２１ｂ、２２ｂの動作方向が同じ（押圧解除方向）であるので、ほぼ同じ浮力で水位変化に比例してスイッチ動作し、第２のフォロート１６及び両第２のスイッチ２４、２５の場合と異なり、水位Ｃと水位Ｄとの水位差は比較的小さい。
【００２８】
なお、制御装置は、洗浄すべき食器類が多いときには、例えば、ユーザーによる設定操作に基づいて、給水量を多くすべく高い水位を検出水位に設定したり、食器類が少ないときには給水量を少なくすべく低い水位を検出水位に設定したりするものであり、複数の検出水位が設定可能である。従って、節水も容易に図ることができるようになる。
なお、第１のフロート１５において、横断面積が大きな第２フロート部１５ｂに達する水位で浮力を受けて浮上するようにすると、上記水位ＣとＤとの水位差は小さくなる。つまり、浮力を受ける横断面積が大きくなると、浮力も大きくなり、少しの水位上昇で大きな荷重（第１のフロート１５自体の重さや第１のレバー２０を回動するに必要な力など）に抗してフロート１５が上昇する。従って、一つのフロートでありながらも検出する水位差の変更が可能である。
【００２９】
このような本実施例によれば、第１のフロート１５により複数の第１のスイッチ２１、２２が異なる水位でスイッチ動作し、さら、第２のフロート１６により複数の第２のスイッチ２４、２５が異なる水位でスイッチ動作するから、複数の水位を検出することが可能となり、給水水位を複数設定可能となって節水に寄与できる。
第１のフロート１５により動作する複数の第１のスイッチ２１、２２においては、いずれも各アクチュエータ２１ｂ、２２ｂが押圧解除方向（動作力軽減方向）で動作するので、比較的小さな浮力で動作し、検出しようとする複数の水位の水位差が小さい場合に好適する。また、第２のフロート１６により動作する複数の第２のスイッチ２４、２５においては、一方のスイッチ２４のアクチュエータ２４ｂが押圧解除方向で動作することで比較的小さな浮力で動作し、そして、他方のスイッチ２５のアクチュエータ２５ｂが押圧方向（動作力増加方向）で動作することで比較的大きな浮力で動作し、従って検出しようとする複数の水位の差は大きくなる。この結果、複数の第１のスイッチ２１、２２と複数の第２のスイッチ２４、２５の併用により、さらに細かい複数の水位を検出できる。
【００３０】
また、本実施例によれば、第2のフロート１６において連結バー１６ａが貫通する第２の貫通孔１４ｅにガイド１４ｆを形成したから、第２のフロート１６が他方の第２のスイッチ２５のアクチュエータ２５ｂを押圧させるときにおいて、このフロート１６が第２のレバー２３との連結部分を中心にして左方あるいは右方に変移することを防止でき、第２のフロート１６の円滑な上昇を保証できる。
【００３１】
また、第１のレバー２０において一方のスイッチ側アーム部２０ｄと他方のスイッチ側アーム部２０ｅのレバー比（各スイッチ２１、２２のアクチュエータ２１ｂ、２２ｂに対するレバー比）が異なるから、このレバー比の設定に応じて検出水位の設定が容易にできる。
さらに、本実施例によれば、第１のフロート１５を比重の高いジュラコンにて形成したから、次の効果がある。すなわち、水位ケース１４内に水がない状態では、第１のフロート１５は、両第１のスイッチ２１、２２のアクチュエータ２１ｂ、２２ｂの復帰力に抗して押圧させておくものであるから、この第１のフロート１５を比重の高いジュラコンにて形成したことは、自重の重さ確保に有利であり、アクチュエータ２１ｂ、２２ｂに対する押圧維持が良好に図れる。そして、該第１のフロート１５の浮上時には、第１のスイッチ２１、２２のアクチュエータ２１ｂ、２２ｂが該第１のフロート１５の浮上を助成する方向に作用してわずかな浮力で浮上するおそれがあるが、本実施例では、該第１のフロート１５自体の重さを重くしているから、そのようなおそれはない。
【００３２】
さらにまた、本実施例によれば、第１のフロート１５に横断面積の大小を持たせたから、第１のフロート１５にかかる荷重が一定であるとすれば、この第１のフロート１５が横断面積の小さな方で浮力を受ける場合には、水没高さつまり水位上昇幅が大きくなってから該第１のフロート１５が上昇し始める。従って大きな水位変化を検出できる。また第１のフロート１５が横断面積の大きな方で浮力を受ける場合には、水没深さ水位上昇幅が小さくても該第１のフロート１５が上昇し始める。従って小さな水位変化を検出できる。この結果、第１のフロート１５のどの部分で浮上開始させるかで、検出水位差が変更可能である。そして、この第１のフロート１５は着脱可能であるから、たとえば横断面積が上下方向で不変な、いわゆるストレートな形状のフロートや、別の横断面積の大小形態が異なるフロートと交換可能である。
【００３３】
なお、図６には、水位とフロートに作用する浮力との関係を示しており、図中の特性線Ｐ１及びＰ２は、第１のフロート１５を固定した状態で水位を上昇させたときの浮力変化を示し、特性線Ｐ１及びＰ３は第２のフロート１６を固定した状態での浮力変化を示している。つまり、第１のフロート１５の第１フロート部１５ａを水位が上昇すると、該第１のフロート１５が受ける浮力も、ある一定の変化率で直線的に増加するが、横断面積が大きい第２フロート部１５ｂを水位が上昇し始めると、特性線Ｐ２で示すように浮力の変化率が大きく変化する。次に第２のフロート１６（その横断面積が第１のフロート１５の第１フロート部１５ａと同一と仮定する）が例えば固定された状態で水位が上昇してくると、その浮力の変化は特性線Ｐ１及びＰ３となる。
【００３４】
なお、上記実施例では、第１のフロート１５を、その上部の横断面積が大きくなる構成としたが、これは本発明の第２の実施例として示す図７のように、第１フロート部１５ａが第２フロート部１５ｂに対して横断面積が大きい構成としても良い。この場合該第２の実施例における第１のフロート１５の浮力の変化は、図６の特性線Ｐ１及びＰ４となる。
本発明の実施例は次のように変更しても良い。第１のフロート及び第２のフロートは完全密閉形でも良い。連結バーは横断面円形でも良い。第１のレバーはレバー比が異なるスイッチ側アーム部を３個以上有してもよく、従って、第１のスイッチは３個以上でも良い。また第２のスイッチとして、押圧解除方向でスイッチ動作する第２のスイッチを複数設けたり、押圧方向へスイッチ動作する第２のスイッチを複数も設けたりするようにしても良く、この場合、第２のレバーもレバー比の異なるアームを付加する構成とすれば良い。
【図面の簡単な説明】
【００３５】
【図１】本発明の第１の実施例を示す水位検出装置部分の縦断側面図
【図２】食器洗浄機全体の縦断正面図
【図３】図２のＫ−Ｋ線に沿う断面図
【図４】ガイド部分の縦断面図
【図５】連結バー及び第１のレバー部分の分解斜視図
【図６】水位と浮力との関係を示す図
【図７】本発明の第２の実施例を示す第１のフロート部分の縦断側面図
【符号の説明】
【００３６】
図面中、２は洗浄槽、４は噴射ノズル、１０は給水弁、１３は水位検出装置（水位検出手段）、１４は水位ケース、１４ｅは第１の貫通孔、１４ｆはガイド、１５は第１のフロート、１６は第２のフロート、２０は第１のレバー、２１、２２は第１のスイッチ、２１ｂ、２２ｂはアクチュエータ、２３は第２のレバー、２４、２５は第２のスイッチを示す。
【図１】
2005131244.tif 000003
【図２】
2005131244.tif 000004
【図３】
2005131244.tif 000005
【図４】
2005131244.tif 000006
【図５】
2005131244.tif 000007
【図６】
2005131244.tif 000008
【図７】
2005131244.tif 000009